(57)【要約】  超薄バックライトレンズは、レンズ体（ａ）を含む。レンズ体（ａ）は、いずれも水平に設置される光出射頂面（１０）及び光反射底面（３０）と、垂直に設置される光出射側面（２０）とを含む。光出射側面（２０）の上縁及び下縁は、それぞれ光出射頂面（１０）の外縁、光反射底面（３０）の外縁に連結される。光反射底面（３０）の中心には、光源取付穴が設置され。光源取付穴の内壁は、光入射面（４０）である。光入射面（４０）の下縁は、光反射底面（３０）の内縁に連結される。光出射頂面（１０）の中心には、上向きに凸になる光出射凸点（１１）が設置される。光入射面（４０）の中心には、下向きに凸になる光入射凸点（４１）が設置される。光出射頂面（１０）の中心領域の表面には、光反射性塗膜（１２）が塗布される。光反射性塗膜（１２）には、複数の光透過孔（１３）が設置される。光入射凸点（４１）及び光出射凸点（１１）は、レンズ体（ａ）の中心を通った光線を拡散させることで、レンズ体（ａ）の中心での輝度の過大を回避する。光反射性塗膜（１２）がレンズ体（ａ）の中心を通った光線の強度を反射によって低下させ、中心領域での輝度を調節するために光透過孔（１３）が光線の一部の出射を許容する。
2019531586.tif 000002
【特許請求の範囲】
【請求項１】
超薄バックライトレンズであって、
中心軸に対して回転対称となるレンズ体を含み、
前記レンズ体は、いずれも水平に設置される光出射頂面及び光反射底面と、垂直に設置される光出射側面とを含み、
前記光出射側面の上縁及び下縁は、それぞれ前記光出射頂面の外縁、光反射底面の外縁に連結され、
前記光反射底面の中心には、光源取付穴が設置され、
前記光源取付穴の内壁は、光入射面であり、
前記光入射面の下縁は、前記光反射底面の内縁に連結され、
前記光出射頂面の中心には、上向きに凸になる光出射凸点が設置され、
前記光入射面の中心には、下向きに凸になる光入射凸点が設置され、
前記光出射頂面の中心領域の表面には、光反射性塗膜が塗布され、
前記光反射性塗膜には、複数の光透過孔が設置されることを特徴とする超薄バックライトレンズ。
【請求項２】
前記光出射凸点及び光入射凸点の表面は、いずれも円弧面であることを特徴とする請求項１に記載の超薄バックライトレンズ。
【請求項３】
前記光出射凸点は、前記光反射性塗膜で覆われるか、または前記光透過孔に挿着されることを特徴とする請求項１に記載の超薄バックライトレンズ。
【請求項４】
前記光反射性塗膜の形状及び光透過孔の位置は、前記光出射頂面の中心に対して回転対称となることを特徴とする請求項１に記載の超薄バックライトレンズ。
【請求項５】
前記光出射頂面の中心には、円弧形状凹部が設置されることを特徴とする請求項１に記載の超薄バックライトレンズ。
【請求項６】
前記光出射側面は、複数の光出射平面及び複数の光出射円弧面の両端が接続されてなることを特徴とする請求項１に記載の超薄バックライトレンズ。
【請求項７】
前記光反射底面には、前記光反射底面の中心を円心とするフレネルリング溝が複数設置され、
前記フレネルリング溝の表面には、スパークによる粒状表面が設置されることを特徴とする請求項１に記載の超薄バックライトレンズ。
【請求項８】
前記光入射面は、光入射頂面及び光入射側面からなり、
前記光入射側面の上縁及び下縁は、それぞれ前記光入射頂面の外縁、光反射底面の内縁に連結され、
前記光入射凸点は、前記光入射頂面の中心に設置されることを特徴とする請求項１に記載の超薄バックライトレンズ。
【請求項９】
前記光出射頂面には、取付孔が設置され、
前記光出射側面には、取付段差が設置され、
前記光反射底面には、取付脚が設置されることを特徴とする請求項１に記載の超薄バックライトレンズ。
【発明の詳細な説明】
【技術分野】
【０００１】
本発明はレンズ技術分野に関し、特に、超薄バックライトレンズに関する。
【０００２】
液晶テレビでは、通常、直下型ＬＥＤバックライトを液晶パネルの後方の発光源とする。直下型ＬＥＤバックライトは、通常、ＬＥＤランプ及びレンズを組み合わせてなる。レンズは、ＬＥＤランプの光線を均一に照射させて、液晶パネルの輝度の均一化を実現して液晶テレビの画質をさらに向上させることができる。
【０００３】
通常、ＬＥＤランプがレンズの中心位置に設置されるため、光線がレンズから出射された場合、中心位置において出射される光線が強くなり、これにより、中心が明るくて周囲が暗く、輝度分布の不均一性をもたらす。直下型ＬＥＤバックライトの輝度分布の不均一性を避けるために、通常、レンズと液晶パネルとの間に照射距離を設定する必要がある。こうすることで、光線をより拡散させて輝度分布の均一化を実現する。従来の照射距離は、一般的に１５〜３５ｍｍである。
【０００４】
液晶テレビの発展が進められるに伴って、人々は薄い液晶テレビの購入にこだわる傾向がある。なお、照射距離やレンズの厚さは、液晶テレビの厚さを決める要因である。
【発明の概要】
【発明が解決しようとする課題】
【０００５】
本発明が解決しようとする課題は、従来技術における不足に対して、光線の拡散を均一にし、厚さの薄いバックライトレンズを提供することである。
【課題を解決するための手段】
【０００６】
超薄バックライトレンズでは、中心軸に対して回転対称となるレンズ体を含む。前記レンズ体は、いずれも水平に設置される光出射頂面及び光反射底面と、垂直に設置される光出射側面とを含む。前記光出射側面の上縁及び下縁は、それぞれ前記光出射頂面の外縁、光反射底面の外縁に連結される。前記光反射底面の中心には、光源取付穴が設置される。前記光源取付穴の内壁は、光入射面である。前記光入射面の下縁は、前記光反射底面の内縁に連結される。前記光出射頂面の中心には、上向きに凸になる光出射凸点が設置される。前記光入射面の中心には、下向きに凸になる光入射凸点が設置される。前記光出射頂面の中心領域には、光反射性塗膜が塗布される。前記光反射性塗膜には、複数の光透過孔が設置される。
【０００７】
さらに、前記光出射凸点及び光入射凸点の表面は、いずれも円弧面である。
【０００８】
さらに、前記光出射凸点は、前記光反射性塗膜で覆われるか、または前記光透過孔に挿着される。
【０００９】
さらに、前記光反射性塗膜の形状及び光透過孔の位置は、前記光出射頂面の中心に対して回転対称となる。
【００１０】
さらに、前記光出射頂面の中心には、円弧形状凹部が設置される。
【００１１】
さらに、前記光出射側面は、複数の光出射平面及び複数の光出射円弧面の両端が接続されてなる。
【００１２】
さらに、前記光反射底面には、前記光反射底面の中心を円心とするフレネルリング溝が複数設置される。前記フレネルリング溝の表面には、スパークによる粒状表面が設置される。
【００１３】
さらに、前記光入射面は、光入射頂面及び光入射側面からなる。前記光入射側面の上縁及び下縁は、それぞれ前記光入射頂面の外縁、光反射底面の内縁に連結される。前記光入射凸点は、前記光入射頂面の中心に設置される。
【００１４】
さらに、前記光出射頂面には、取付孔が設置され、前記光出射側面には、取付段差が設置され、前記光反射底面には、取付脚が設置される。
【発明の効果】
【００１５】
本発明に係る超薄バックライトレンズは、以下の通りのメリットを有する。
（１）光入射凸点及び光出射凸点を設置することで、レンズ体の中心を通った光線を屈折によって拡散させ、レンズ体の中心での輝度の過大を回避する。（２）光反射性塗膜がレンズ体の中心を通った光線の強度を反射によって低下させ、中心領域での輝度を調節するために光透過孔が光線の一部の出射を許容する。（３）フレネルリング溝により、光反射底面を必要以上に自由曲面にすることなく水平に設置し、その結果、レンズ体の厚さをさらに薄くする。（４）スパークによる粒状表面を用いて迷光を処理する場合には、レンズ体から均一な光スポットを投光する。（５）円弧形状凹部、光出射円弧面、光入射頂面及び光入射側面を設置することで、光線をさらに屈折させて光線の出射角度をより大きくする。（６）レンズ体の照射距離を６ｍｍにする。（７）光出射凸点と円弧形状凹部とを組み合わせることで、光出射頂面を必要以上に自由曲面にすることなく水平に設置し、その結果、レンズ体の厚さをさらに薄くする。
【図面の簡単な説明】
【００１６】
【図１】本発明の実施例の斜視図である。
【図２】本発明の実施例の斜視図である（別の角度から）。
【図３】本発明の実施例の平面図である。
【図４】図３のＡ―Ａにおける断面図である。
【図５】本発明の実施例を用いる場合の光路を示す図である。
【発明を実施するための形態】
【００１７】
本発明の目的、技術的特徴及びメリットをさらに明瞭に理解するために、添付の図面を参照しながら本発明をより詳細に説明する。
【００１８】
図１〜図４に示すように、本発明の実施例に係る超薄バックライトレンズは、中心軸に対して回転対称となるレンズ体ａを含む。前記レンズ体ａは、水平に設置される光出射頂面１０及び光反射底面３０と、垂直に設置される光出射側面２０とを含む。前記光出射側面２０の上縁及び下縁は、それぞれ前記光出射頂面１０の外縁、光反射底面３０の外縁に連結される。前記光反射底面３０の中心には、光源取付穴が設置される。前記光源取付穴の内壁は、光入射面４０である。前記光入射面４０の下縁は、前記光反射底面３０の内縁に連結される。
【００１９】
前記光出射頂面１０の中心には、上向きに凸になる光出射凸点１１が設置される。前記光入射面４０の中心には、下向きに凸になる光入射凸点４１が設置される。光出射凸点１１及び光入射凸点４１は、レンズ体ａの中心を通った光線を屈折させて拡散させることで、レンズ体ａの中心での輝度の過大を回避する。光出射凸点１１及び光入射凸点４１の表面は、いずれも円弧面である。なお、円弧面は、光出射凸点１１及び光入射凸点４１による光線の拡散角度を大きくすることができる。
【００２０】
前記光出射頂面１０の中心領域の表面には、光反射性塗膜１２が塗布される。前記光反射性塗膜１２には、複数の光透過孔１３が設置される。前記光反射性塗膜１２の形状及び光透過孔１３の位置は、前記光出射頂面１０の中心に対して回転対称となる。光反射性塗膜１２の形状及び光透過孔の位置は、光出射頂面１０を通った光線の強度分布によって設置され、これにより、光出射頂面１０から出射された光線の強度をなるべく均一に分布させることができる。
【００２１】
前記光出射凸点１１は、前記光反射性塗膜１２で覆われるか、または前記光透過孔１３に挿着される。なお、本実施例では、光出射凸点１１が光反射性塗膜１２で覆われることで、光線が光出射凸点１１を通った場合に光反射底面３０まで反射された後に光反射底面３０によってさらに反射されることが好適である。当然ながら、当業者は必要に応じて、光出射凸点１１を光透過孔内に挿着し、すなわち、光反射性塗膜が光出射凸点１１を覆わないことで、光線が光出射凸点１１を通った場合にそのまま拡散することができる。
【００２２】
前記光出射頂面１０の中心には、円弧形状凹部１４が設置される。なお、円弧形状凹部１４は、光出射頂面１０から出射された光線をさらに屈折させて出射し、光出射頂面１０による光線の拡散角度を大きくすることで、光線の拡散を均一化にする。また、光出射凸点１１と円弧形状凹部１４とを組み合わせることで、光出射頂面１０を必要以上に自由曲面にすることなく水平に設置し、その結果、レンズ体ａの厚さをさらに薄くする。
前記光出射側面２０は、複数の光出射平面２１及び複数の光出射円弧面２２の両端が接続されてなる。本実施例では、光出射側面２０が４つの光出射平面２１及び４つの光出射円弧面２２のそれぞれの両端が接続されてなることが好適である。なお、光出射頂面１０及び光出射円弧面２２により、レンズ体ａの取付けの位置決めに用いる位置決め段差２３が構成される。
【００２３】
前記光反射底面３０には、前記光反射底面３０の中心を円心とするフレネルのリング溝が複数設置される。前記フレネルリング溝３１の表面には、スパークによる粒状表面（不図示）が設置される。フレネルリング溝３１により、光反射底面３０を必要以上に自由曲面にすることなく水平に設置し、その結果、レンズ体ａの厚さをさらに薄くする。また、スパークによる粒状表面を用いて迷光を処理する場合、レンズ体ａから均一な光スポットを投光することができる。
【００２４】
前記光入射面４０は、光入射頂面４２及び光入射側面４３からなる。前記光入射側面４３の上縁及び下縁は、それぞれ前記光入射頂面４２の外縁、光反射底面３０の内縁に連結される。前記光入射凸点４１は、前記光入射頂面４２の中心に設置される。なお、円弧形状の光入射頂面４２と光入射凸点４１とを組み合わせることで、レンズ体ａの中心を通った光線を均一に屈折、拡散させることで、レンズ体ａの中心での輝度の過大を回避する。光入射側面４３は、主に迷光をフレネルリング溝３１まで屈折させることで、フレネルリング溝３１による光線の処理を容易にする。
【００２５】
前記光出射頂面１０には、取付孔１５（非貫通孔）が設置される。前記光出射側面２０には、取付段差２４が設置される。前記光反射底面３０には、取付脚３２が設置される。なお、取付孔１５、取付段差２４及び取付脚３２は、いずれもレンズ体ａをＰＣＢ基板上に取り付けるためのものである。
【００２６】
図５に示すように、レンズ体ａがＰＣＢ基板ｂ上に取り付けられ、ＬＥＤランプｃがレンズ体ａの光源取付穴の中心に取り付けられ、光線がＬＥＤランプｃから出射されてレンズ体ａによって屈折、反射されてレンズ体ａから拡散する。
【００２７】
以上の説明は本発明に係る好適な実施例に過ぎず、本発明の請求範囲を制限しようとするものではないため、本発明の請求範囲に基づく同等の変化は、本発明の範囲内に属する。
【００２８】
１０  光出射頂面
１１  光出射凸点
１２  光反射性塗膜
１３  光透過孔
１４  円弧形状凹部
１５  取付孔
２０  光出射側面
２１  光出射平面
２２  光出射円弧面
２３  位置決め段差
２４  取付段差
３０  光反射底面
３１  フレネルリング溝
３２  取付脚
４０  光入射面
４１  光入射凸点
４２  光入射頂面
４３  光入射側面
ａ  レンズ体
ｂ  ＰＣＢ基板
ｃ  ＬＥＤランプ
【図１】
2019531586.tif 000003
【図２】
2019531586.tif 000004
【図３】
2019531586.tif 000005
【図４】
2019531586.tif 000006
【図５】
2019531586.tif 000007
【国際調査報告】
2019531586.tif 000008
2019531586.tif 000009
2019531586.tif 000010
2019531586.tif 000011